(57)【要約】【課題】ペット用玩具において、ペットなどによる戯れを持続させることができ、これによってその様子を見る飼い主等の楽しさも持続させることができるようにする。【解決手段】外殻部材２と、この外殻部材２の中に設けられて外殻部材２に加えられる外力を検出するセンサ１０と、外殻部材２の中に設けられて上記センサ１０からの検出信号で音声を発生する音声回路７と、外殻部材２の中に設けられて上記音声回路７を作動させる電源回路８とを有している。【選択図】図１
2005168758.tif 000002
【特許請求の範囲】
【請求項１】
外殻部材（２）と、この外殻部材（２）の中に設けられて外殻部材（２）に加えられる外力を検出するセンサ（１０）と、外殻部材（２）の中に設けられて上記センサ（１０）からの検出信号で音声を発生する音声回路（７）と、外殻部材（２）の中に設けられて上記音声回路（７）の作動に必用な給電を行う電源回路（８）とを有していることを特徴とする発音玩具。
【請求項２】
前記外殻部材（２）は、表層部（２６）を圧縮させる程度の弾力は有するが殻形状自体が凹むほどの変形はしない強度を有した素材によって形成されていることを特徴とする請求項１記載の発音玩具。
【請求項３】
前記外殻部材（２）は球形又はこれに類する転動自在な形状とされていることを特徴とする請求項１又は請求項２記載の発音玩具。
【請求項４】
前記外殻部材（２）は、複数の分割体（２Ａ，２Ｂ）に分解したり元の形体へ組み立てたりが自在であり、分解して露出される部分に電源回路（８）のオンオフスイッチ（２１）が設けられていることを特徴とする請求項１乃至請求項３のいずれかに記載の発音玩具。
【請求項５】
前記外殻部材（２）は、直径５ｃｍ以上２０ｃｍ以下の球形を目安として大きさが設定されていることを特徴とする請求項１乃至請求項４のいずれかに記載の発音玩具。
【請求項６】
前記外殻部材（２）には、一定方向への連続転動を邪魔する突起（２７）が複数設けられていることを特徴とする請求項３乃至請求項５のいずれかに記載の発音玩具。
【請求項７】
前記突起（２７）は、ペットなどによる噛みつき及び噛みついた状態での振り回しにも千切れない強度を有して形成されていることを特徴とする請求項６記載の発音玩具。
【請求項８】
前記センサ（１０）には振動センサが用いられていることを特徴とする請求項１乃至請求項７のいずれかに記載の発音玩具。
【請求項９】
前記音声回路（７）は、音声データが録音された音声源（１４）とこの音声源（１４）を再生させるスイッチ部（１５）とを有し、上記音声源（１４）は、内容の異なる音声データが録音された複数の録音帯（１８）とこれら各録音帯（１８）の終端に連結された停止信号（１９）とを有しものとなっており、上記スイッチ部（１５）は、センサ（１０）から発せられる動作信号の強弱に応じた内容の録音帯（１８）を選出して再生開始させた後にこの録音帯（１８）の終端の停止信号（１９）を受信するまで録音帯（１８）の再生状態を自己保持させるものであることを特徴とする請求項１乃至請求項８のいずれかに記載の発音玩具。
【請求項１０】
前記音声回路（７）は、音声データが録音された音声源（１４）とこの音声源（１４）を再生させるスイッチ部（１５）とを有し、上記音声源（１４）は、内容の異なる音声データが録音された複数の録音帯（１８）とこれら各録音帯（１８）の終端に加入された停止信号（１９）とが一連に連結されて全体でエンドレストラックを形成したものとなっており、上記スイッチ部（１５）は、センサ（１０）からの動作信号を受けていずれかの録音帯（１８）を再生開始させた後にこの録音帯（１８）の終端の停止信号（１９）を受信するまで録音帯（１８）の再生状態を自己保持させるものであることを特徴とする請求項１乃至請求項８のいずれかに記載の発音玩具。
【請求項１１】
前記電源回路（８）には、センサ（１０）から所定時間にわたって動作信号が出力されないときに音声回路（７）を作動させるタイマー回路（２０）が設けられていることを特徴とする請求項１乃至請求項１０のいずれかに記載の発音玩具。
【請求項１２】
前記電源回路（８）には、センサ（１０）から所定時間にわたって動作信号が出力されないときに回路全体を切断するタイマー回路（２０）が設けられていることを特徴とする請求項１乃至請求項１１のいずれかに記載の発音玩具。
【発明の詳細な説明】
【技術分野】
【０００１】
本発明は、発音玩具に関するものである。
【背景技術】
【０００２】
犬や猫などのペットとのふれ合いを増長させるたのペット用玩具として、今日、種々様々なものが提案されている。これらを大別すると、立方体や多面体とすることでボールとは異なって不規則に転がるようにした転がしタイプ（特許文献１等参照）、偏心錘の内蔵により倒されても一定方向へ立ち上がるようにした起きあがりこぼしタイプ（特許文献２及び３等参照）、ペットなどが噛みつきやすいように突起部を設けた噛みつきタイプ（特許文献４等参照）、飼い主や見物人（以下「飼い主等」と言う）が遠くへ投げてペットなどに拾ってこさせるようにした拾い棒タイプ（特許文献５及び６等参照）といったところである。なお、これらの中には、発音体を内蔵させることでペットなどの興味を持続させるように期待したものもあった（特許文献５及び６参照）。ここで言う発音体とは鈴である。
【０００３】
いずれのものも、ペットなどが戯れる様子を飼い主等が見ることで、飼い主等がその微笑ましさ活発さなどを楽しむことを主眼に製作されている。
【特許文献１】特開平１０−１１７６２３号公報
【特許文献２】特開２００２−７８４３０号公報
【特許文献３】特開２００３−２４５０２６号公報
【特許文献４】特表２００２−５２７０８６号公報
【特許文献５】特開平１０−１３６８２６号公報
【特許文献６】特開２００２−２６２６９７号公報
【発明の開示】
【発明が解決しようとする課題】
【０００４】
上記した従来公知のペット用玩具では、いずれも趣向が単純であるためにペットなどにすぐ飽きられてしまうということがあった。それは発音体を内蔵させたものでも例外ではなかった。従って当然に、飼い主等にとっても十分に楽しむことができないことになる。
本発明は、上記事情に鑑みてなされたものであって、ペット用玩具として使用する場合にはペットなどによる戯れを持続させることができ、これによってその様子を見る飼い主等の楽しさも持続させることができるようにした発音玩具を提供することを目的とする。
また本発明は、ペット用玩具としてだけでなく、人間用の玩具としての敷衍化が可能である発音玩具を提供することを目的とする。
【課題を解決するための手段】
【０００５】
前記目的を達成するために、本発明は次の手段を講じた。
即ち、本発明に係る発音玩具１は、外殻部材２と、この外殻部材２の中に設けられて外殻部材２に加えられる外力を検出するセンサ１０と、外殻部材２の中に設けられて上記センサ１０からの検出信号で音声を発生する音声回路７と、外殻部材２の中に設けられて上記音声回路７の作動に必用な給電を行う電源回路８とを有している。
このような構成であるから、例えばこの発音玩具１をペット用玩具として使用する場合、ペットなどが外殻部材２に対し、蹴る、叩く、噛みつく、噛みついたまま首を振る等といった外力を加えると、この外力をセンサ１０が検出し、音声回路７が作動するようになる。この音声回路７は、電源回路８からの給電によって電気的に作動するものであり、例えば人間の話し声や動物の鳴き声などの音声（その他、ブザー音や電子音、音楽などでもよい）を発生する。
【０００６】
そのため、外力を加えたペットなどはこの音声に強い興味を起こし、続けて外力を加えるようになる。この繰り返しにより、ペットなどは持続してこの発音玩具１と戯れるようになり、結果、これを見る飼い主等も楽しさを持続させることができる。
センサ１０、音声回路７、電源回路８は外殻部材２に内蔵されたかたちになっており、外観上は露出していないことになる。従って見栄えがよいだけでなく、センサ１０、音声回路７、電源回路８は、接触乃至衝撃による破損が防止され、更にペットなどの唾液や雨水などによる破損も防止されるものである。
【０００７】
このような外殻部材２は、表層部２６を圧縮させる程度の弾力は有するが殻形状自体が凹むほどの変形はしない強度を有した素材によって形成しておくのが好適である。このようにすることで衝撃に対する破損防止作用が一層高まることはさることながら、犬などのペットなどがこの外殻部材２を噛みつくようにした場合に、弾力性のある表層部２６により噛みごたえがあり、また歯触りに好感を持てるようになるといった作用を得られることになる。勿論、凹むほどの変形はしないことで、内蔵されたセンサ１０、音声回路７、電源回路８は保護されるようになる。
【０００８】
この外殻部材２は、球形、又はこれに類する転動自在な形状（例えば多面体や、ラクビーボールのような楕円球など）に形成しておくと、ペットなどが外力を加えたときによく転がるようになる。その分、ペットなど、外力を加える相手に対して動的で且つ活発な対応を促すことになる。従って、ペットなどにとって興味が益々高まり、またこれを見る飼い主等も、益々、見ていて楽しいものとなる。
外殻部材２は、複数の分割体２Ａ，２Ｂに分解したり元の形体へ組み立てたりすることが自在な構造としておき、分解して露出される部分に、電源回路８のオンオフスイッチ２１を設けておくのが好適である。これであれば、外殻部材２が転動などするときやペットなどによる噛みつき時、飼い主等の取り扱い時などに、誤ってスイッチ２１がオンからオフに勝手に切り替わってしまうということがない。また、スイッチ２１が接触乃至衝撃により破損したりペットなどの唾液や雨水などで破損したりするということも防止される利点がある。
【０００９】
なお、外殻部材２は直径５ｃｍ以上２０ｃｍ以下の球形を目安として大きさを設定するのが好適である。この程度の大きさが、ペットなどにとって噛みつきやすい大きさといえる。すなわち、直径が５ｃｍより小さいと、遠くへ転がっていったときにペットなどにとってもこれを見る飼い主等にとっても見失うおそれがでてくるし、またそもそも、外殻部材２の中へセンサ１０、音声回路７、電源回路８を組み込むのが構造的に難しくなる。反対に直径が２０ｃｍを超えると、ペットなどには扱い難いものになる。なお、ペットなどを対象とする場合とは異なって、例えば人間を対象とする場合であれば、直径が２０ｃｍを超えるものとしてもよい。
【００１０】
外殻部材２に対し、一定方向への連続転動を邪魔する突起２７を複数設けておけば、転がる様子が真っ直ぐの単純なものではなくなり、ジグザグになり、それだけ趣向が増したものになる。しかも転がる距離がある程度制限されるので、使用範囲もそんなに広く拡大されずに済むという利点がある。即ち、ペットなどが飼い主等から遠くへ離れて行ってしまう（見えなくなる）のを防止できる。
ペット用玩具とする場合において、突起２７は、ペットなどが噛みついたり噛みついたまま首を振ったりしたときにも千切れない強度を有して形成しておくのが好適であり、これによって破損防止になって寿命も長くなり、またペットなどが誤って千切れた破片を飲み込んでしまうということもない。
【００１１】
センサ１０としては振動センサを用いるとよい。この場合、ペットなどが噛みついて首を振る動作などを検出することになる。これであると、回路構成的に低廉で簡潔となる。なお、圧力センサ、スピードセンサなどに置換することも可能であるし、これらを複合的に使用することも可能である。
音声回路７は、音声データが録音された音声源１４と、この音声源１４を再生させるスイッチ部１５とを有したものとすればよい。音声源１４は、内容の異なる音声データが録音された複数の録音帯１８と、これら各録音帯１８の終端に連結された停止信号１９とを有しものとなっており、スイッチ部１５は、センサ１０から発せられる動作信号の強弱に応じた内容の録音帯１８を選出して再生開始させた後にこの録音帯１８の終端の停止信号１９を受信するまで録音帯１８の再生状態を自己保持させるものである。
【００１２】
このようにすると、外殻部材２に対して加えられた外力（センサ１０から発せられる動作信号）が強かったり弱かったりするのに応じて、その程度に応じた（ふさわしい）内容の音声が再生されることなるので、この再生音声には、ペットなどの感情が反映されているものとなる。従って、この再生された音声からペットなどの喜怒哀楽をある程度推測することができ、飼い主等は見ていて楽しさが増す。殊に、この再生された音声がペットなどとかけ合いを演じているかのように見て取れるから、よけいに飼い主等にとっては面白いものとなる。
【００１３】
音声回路７において、音声源１４は、内容の異なる音声データが録音された複数の録音帯１８とこれら各録音帯１８の終端に加入された停止信号１９とが一連に連結されて全体でエンドレストラックを形成したものとすることもできる。このようにすることで、複数種類の音声をその都度、順繰りに再生させることができるようになり、飽きがこない。
電源回路８には、センサ１０から所定時間にわたって動作信号が出力されないときに音声回路７を作動させるタイマー回路２０が設けておくのが好適である。このようにすることで、近くにいるペットなどに対して、自発的にこの発音玩具１による遊びを誘うことができる。
【００１４】
また電源回路８には、センサ１０から所定時間にわたって動作信号が出力されないときに回路全体を切断するタイマー回路２０を設けておくのが好適である。これにより、電源の節約ができる。
なお、この発音玩具１はペット用玩具としての実施が限定されるものではなく、人間用の玩具としても実施可能である。
【発明の効果】
【００１５】
本発明に係る発音玩具では、ペット用玩具として使用する場合にはペットなどによる戯れを持続させることができ、これによってその様子を見る飼い主等の楽しさも持続させることができるようになる。なお、ペット用玩具としてだけでなく、人間用の玩具としても斬新な遊技性が得られる。
【発明を実施するための最良の形態】
【００１６】
以下、本発明の実施の形態を、図面に基づき説明する。
図１乃至図６は、本発明に係る発音玩具１の一実施形態を示している。この発音玩具１はその表面全体を外殻部材２に覆い包まれるようになっている。本実施形態の発音玩具１はペット（特に、犬）用の玩具として適用したものとしてあり、外殻部材２は直径１０ｃｍ程度の球形を基本形とした形状となっている。
図２から明らかなように、この外殻部材２は赤道面で二つ割り状態に分解したり元の球形に組み立てたりが自在に行えるようになったもので、図３から明らかなように、二つ割りにしたうちの一方の分割体２Ａには、中仕切り板３を介して各種の回路や電気部品などを装備する基板４が内蔵されている。
【００１７】
図５に示すように、外殻部材２に内蔵された基板４には、音声回路７及び電源回路８が含まれている。またこれらの各回路を制御するための信号処理部９が別個独立又は音声回路７や電源回路８に一体化されるかたちで設けられている。またこの基板４には、センサ１０が直接的又は配線を介して間接的に設けられている。
センサ１０は外殻部材２に加えられる外力を検出するようになっている。このセンサ１０には、例えば振動センサを採用することができる。この振動センサを採用した場合には、ペットなどが外殻部材２を蹴ったり叩いたりして転がしたときや、ペットなどが外殻部材２を噛みついたり或いは噛みついたまま首を振ったりして振り回したりしたときの外殻部材２に起こる振動を外力として検出する。このようにセンサ１０が一旦、検出状態になると、信号処理部９がこれを動作信号として音声回路７へ出力する。
【００１８】
音声回路７には音声源１４とスイッチ部１５とが含まれていると共に、音声源１４からの出力を増幅して外殻部材２の外部に居る者の耳に届かせるスピーカー１６を有しており、電源回路８による給電を受けて電気的に作動する。
図６に示すように、音声源１４は、複数（図例では７通りとした）の録音帯１８と、これら全ての録音帯１８の終端に連結された停止信号１９とを有したものとなっている。それぞれの録音帯１８には内容の異なる音声データが録音されている。例えば、「ブルブル  おい！かかってこい」「痛いよ。噛まないで  ギァー・ギァー」といったような人間の話し声が、個々の録音帯１８に録音されている。
【００１９】
スイッチ部１５は、センサ１０から動作信号が発せられたときに、その動作信号の強弱（センサ１０が振動センサであれば振幅の大小、周波数の長短、振動時間の長短など）に応じて設定された閾値から、その各閾値に対して個々に割り当てられた録音帯１８を選出すると共に、この選出された録音帯１８を再生開始させる。また、この再生開始後、当該録音帯１８から停止信号１９が発せられるまでその再生状態を継続させ、停止信号１９が発せられた時点でこの録音帯１８の再生を停止させるようになっている。すなわち、音声源１４の各録音帯１８が再生されている間は、その再生状態を自己保持させるようになっている。
【００２０】
例えば、センサ１０からの動作信号が比較的弱いレベルのものであるときには「ブルブル  おい！かかってこい」等の挑発的な音声データ、或いは親しみのある優しい音声データが設定され、センサ１０からの動作信号が比較的強いレベルのものであるときには「痛いよ。噛まないで  ギァー・ギァー」等の泣き声のような音声データが設定されるといった具合である。
電源回路８は乾電池やボタン電池など（図３に例示したものは乾電池）を主要素とするところであって、センサ１０や音声回路７に対して必用な動作電源を給電する。この電源回路８にはタイマー回路２０とスイッチ２１とが設けられている。スイッチ２１は飼い主等が手動操作するためのもので、このスイッチ２１をオンさせれば回路全体の起動になり、またオフにさせれば回路全体の切断になる。
【００２１】
タイマー回路２０は、センサ１０から一旦、動作信号が出力され、この動作信号が無くなってからの時間をカウントし始め、このカウント数が所定時間に達したとき（センサ１０からの動作信号がないとき）に、音声回路７を作動させるようになっている。これにより、音声回路７において音声源１４の中の適当な録音帯１８が１回再生される。従って、近くにいるペットなどに対して、自発的にこの発音玩具１による遊びを誘うことができる。
またこのタイマー回路２０は、上記のように音声回路７を作動させてもなお、センサ１０から動作信号が無く、その後のカウント数が所定時間に達したときに、スイッチ２１がオン状態になっていることを無視して回路全体を切断するようになっている。これにより節電を図るものである。
【００２２】
上記したように（図２及び図３参照）、外殻部材２は球形を基本形とし、その赤道面で二つ割り可能となっている。従って二つの半球状を呈した分割体２Ａ，２Ｂを有していることになる。それぞれの分割体２Ａ，２Ｂは、分解面側を開口させた内容器２５と、この内容器２５の球面側の外面を覆う表層部２６とを有している。
表層部２６には複数の突起２７が設けられているが、この突起２７の部分以外は略一定の厚みで内容器２５の全表面を覆うようになっており、そのため内容器２５は、外殻部材２の外形状に対しておおよそ、相似的に小さく形成されたものとなっている。このような内容器２５は特に材質的な限定を受けるものではなく、例えばＡＢＳ、塩化ビニルなどといった適宜樹脂材、鉄板等の金属、木などが使用可能である。
【００２３】
これに対し、表層部２６は、高面圧の加圧時には表面を圧縮させる程度の弾力は有するが、外殻部材２としての殻形状自体が凹むほどの変形はしない強度を有した素材によって形成されている。突起２７については、ペットなどの噛みつき及び噛みついた状態での振り回しにも千切れない強度を持った素材とするのがよい。いずれにしても例えばＰＰ、ＰＳ、シリコン、ゴムなどが適当である。従って、これら表層部２６と突起２７とは互いに一体形成すればよい。勿論、それぞれ別部材で形成して接着や結合させたものとすることも可能である。
【００２４】
突起２７は、外殻部材２の全体に対してその回りに適当な配置間隔で複数設けられている。個々の突起２７は、半球状、円錐状、棒状など何でもよく、その形状もさることながら大きさなども、特に限定されるものではない。ただ、犬などのペットに対し、ある程度、噛みつきやすき（くわえやすい）形状及び大きさとしてやることが推奨され、またペットの目などにぶつかったときのことを考慮して、鋭角な部分が生じない形状としてやることが推奨される。
このような突起２７が設けられていることで、外殻部材２は一定方向へ（真っ直ぐに）連続転動するのが邪魔されて、急に思わぬ方向へ曲がったり、ジグザグ状になったり、急に止まったりするようになる。そのため、その転がり状況を見ているだけでも楽しく、更にこれを追いかけるペットなどが迷走するようになれば、それもまた趣向を増すものとなって楽しい。また、外殻部材２の転がる距離が制限されることにもなるので、ペットなどが飼い主等から遠くへ離れて行ってしまう（見えなくなる）のを防止できるという効果をも奏する。
【００２５】
外殻部材２において、音声回路７や電源回路８などを具備した基板４が設けられる方の分割体２Ａには、他方の分割体２Ｂとの分解面となる部分に対して、上記したように中仕切り板３が設けられるが、この中仕切り板３に対し、電源回路８の主要素たる電池を収納するための電池ケース３０が設けられている。またこの電池ケース３０に並んで、スイッチ２１が設けられている。従って、この外殻部材２を分割体２Ａ，２Ｂに分解することで、はじめて電池ケース３０やスイッチ２１が露呈され、電池交換やスイッチ操作が行えることになる。
【００２６】
分割体２Ａ，２Ｂを分解したり組み立てたりするには、このうち一方側（図例では２Ｂ側）に設けられたフック３１を同他方（図例では２Ａ側）に設けられたフック孔３２へ差し込み、分割体２Ａ，２Ｂを相対逆方向へねじるようにする。フック孔３２は、フック３１の差し込みを許容する大口の開口部分から円弧状に細溝状の開口が延設され、この細溝状の開口にフック３１が入り込むこむことで係止状態が得られる構造である。なお、この構造の採用は特に限定されるものではない。
この他、この外殻部材２には、スピーカー１６が設けられる部位に対応させて、通音孔３３が複数設けられたものとしてある。この通音孔３３は、防水性の観点から余り径大なものとしない方が好適である。
【００２７】
以上説明したところから明らかなように、本発明に係る発音玩具１では、まず外殻部材２を一旦、分割体２Ａ，２Ｂに分解してスイッチ２１をオン状態にし、そのうえで分割体２Ａ，２Ｂを元の状態に（球体の外殻部材２として）組み立て、その状態でペットなどに対してその目の前にあてがうようにする。
このときの振動をセンサ１０が検出するか、又は所定時間が経ってタイマー回路２０が作動することで、音声回路７が作動して音声が再生される。これでペットなどはこの音声に強い興味を起こし、外殻部材２を蹴ったり叩いたりして転がし、場合によっては外殻部材２の全体や突起２７に噛みついたり或いは噛みついたまま首を振ったりして振り回すといった外力を加えるようになる。
【００２８】
すると、この外力をセンサ１０が検出し、再び音声回路７の作動により音声が再生される。このとき、音声回路７によって再生される音声は、殆どの場合、前回の音声とはその内容が異なっていることになり、ペットなどは更に興味を強くしてこの発音玩具１に更に外力を加えるようになる。
外殻部材２に対して加えられた外力（センサ１０から発せられる動作信号）が強かったり弱かったりするのに応じて、その程度に応じた（ふさわしい）内容の音声が再生されることになるので、この再生音声には、ペットなどの感情が反映されているものとなる。従って、この再生された音声からペットなどの喜怒哀楽をある程度推測することができ、飼い主等は見ていて楽しさが増す。殊に、この再生された音声がペットなどとかけ合いを演じているかのように見て取れるから、よけいに飼い主等にとっては面白いものとなる。
【００２９】
この発音玩具１が転がされれば、その転がり状態も突起２７によって一定ではなくなるし、この転がりが音声を発しながらのものとなるので、ペットなどの興味は益々高まる。また飼い主等にとっても、見ていて楽しいものである。このようにして、ペットなどは長い時間にわたってこの発音玩具１と戯れるようになり、結果、これを見る飼い主等も長い時間にわたって楽しさを持続させることができる。
なお、弾力性のある外殻部材２０に覆われていることで、ペットなどが少々乱暴な扱いをしたところで、衝突や濡れに対する破損は防止される。
【００３０】
図７は、音声回路７に設けられる音声源１４の別実施形態を示している。この音声源１４は、その全体がエンドレストラックを形成したものとなっており、このエンドレストラックの中が適当な長さの複数（図例では７通りとした）の録音帯１８に分割されている。全ての録音帯１８の終端には停止信号１９が加入されており、結果、このエンドレストラックは、録音帯１８と停止信号１９とが交互に連結されながらそれらの全体がエンドレスを呈していると換言することができる。
各録音帯１８には、それぞれ内容の異なる音声が録音されている。例えば、「ブルブル  おい！かかってこい」「痛いよ。噛まないで  ギァー・ギァー」といったような人間の話し声が、個々の録音帯１８に録音されている。
【００３１】
このような音声源１４を具備する音声回路７では、スイッチ部１５は単に、センサ１０から動作信号が発せられたときに音声源１４のいずれかの録音帯１８に対して再生を開始させ、その後、この録音帯１８の終端の停止信号１９が発せられるまで録音帯１８に再生を継続させ、停止信号１９が発せられた時点でこの録音帯１８を停止させるものであればよい。
すなわち、音声源１４の個々の録音帯１８が再生されている間は、その再生状態を自己保持させ、結果、スイッチ部１５が「入」「切」を繰り返すごとに、音声源１４の各録音帯１８が一つずつ、順繰りに再生されるようになる。
【００３２】
ところで、本発明は、上記した実施形態に限定されるものではなく、実施の形態に応じて適宜変更可能である。
例えば、この発音玩具１はペット用玩具としての実施が限定されるものではなく、人間用の玩具（例えばビーチボール程度の大きさの玩具）としても実施可能である。
音声回路７の音源源１４には、人間の話し声の他、動物の鳴き声やブザー音、電子音、音楽などを録音しておくことも可能である。勿論、これらの音はアナログ録音でもデジタル録音でもよいし、合成音などでもよい。また飼い主等が本人の声を録音したものとしてもよい。この場合、音声回路７に録音回路を設けておけば、録音内容の変更も簡単にできることになる。
【００３３】
電源回路８は、乾電池の他、太陽電池を用いることが可能で、この場合には外殻部材２の一部を透明にして、この透明部分へ太陽電池の発電部（受光部分）を臨ませるようにすればよい。
外殻部材２の形状、大きさ、色、材質などに関しては適宜変更可能である。
【図面の簡単な説明】
【００３４】
【図１】本発明に係る発音玩具の一実施形態を示した斜視図である。
【図２】図１の発音玩具を二つの分割体に分解した状態を示した斜視図である。
【図３】図１の発音玩具において基板が内蔵された方の分割体を示した側断面図である。
【図４】図１の発音玩具の使用状況を示した図である。
【図５】音声回路及び電源回路の接続状況を示したブロック構成図である。
【図６】音声回路の音声源を説明した図である。
【図７】音声回路の音声源としての別例を説明した図である。
【符号の説明】
【００３５】
１  発音玩具
２  外殻部材
２Ａ  分割体
２ｂ  分割体
７  音声回路
８  電源回路
１０  センサ
１４  音声源
１５  スイッチ部
１８  録音帯
１９  停止信号
２０  タイマー回路
２１  スイッチ
２６  表層部
２７  突起
【図１】
2005168758.tif 000003
【図２】
2005168758.tif 000004
【図３】
2005168758.tif 000005
【図４】
2005168758.tif 000006
【図５】
2005168758.tif 000007
【図６】
2005168758.tif 000008
【図７】
2005168758.tif 000009